(57)【特許請求の範囲】
【請求項１】
ＩＰネットワークに接続し、アナログ機器より送出されたアナログ信号を入力信号とし、入力されたアナログ信号をパケット化して、ネットワークに送信する音声・ファックス通信切替装置が行う音声・ファックス通信切替方法において、
音声・ファックス通信切替装置は呼設定が完了した時点で、ＦＡＸデータパケットの受信を可能な状態とし、
音声の通信中において、
一方の音声・ファックス通信切替装置は、
入力されたアナログ信号から、ＦＡＸ送信端末である事を示すＣＮＧ（発呼トーン）信号またはＦＡＸ受信端末であることを示すＣＥＤ（被呼局識別）信号の検出をおこなうステップ（Ｓ１）と、
前記ステップ（Ｓ１）において、ＣＮＧ信号またはＣＥＤ信号が検出された場合には、音声データパケットの送信および受信の停止を指示するステップ（Ｓ５）と、
前記ステップ（Ｓ１）において検出されたアナログ信号から、ＣＮＧ信号またはＣＥＤ信号を示すＦＡＸデータパケットを生成するステップ（Ｓ７）と、
ステップ（Ｓ７）で生成したＣＮＧ信号またはＣＥＤ信号を示すＦＡＸデータパケットを通信相手に送信するステップ（Ｓ８）を行って、音声通信からファックス通信に切り替え、
他方の音声・ファックス通信切替装置は、
ＣＮＧ（発呼トーン）信号またはＣＥＤ（被呼局識別）信号を示すＦＡＸデータパケット受信の有無を検出するステップ（Ｓ２１）と、
前記ステップ（Ｓ２１）でＣＮＧ信号およびＣＥＤ信号を示すＦＡＸデータパケットが受信されなかった場合は、受信したＦＡＸデータパケットを破棄し、
前記ステップ（Ｓ２１）でＣＮＧ信号またはＣＥＤ信号のＦＡＸデータパケットが受信された場合は、音声データパケットの生成、送信、および受信の停止を指示するステップ（Ｓ２６）と、
受信したＣＮＧ信号またはＣＥＤ信号を示すＦＡＸデータパケットをアナログＦＡＸ信号に変換するステップ（Ｓ２７）と、
ステップ（Ｓ２７）で変換したアナログＦＡＸ信号をアナログ機器に送出するステップ（Ｓ２８）とを行って、音声通信からファックス通信に切り替える
ことを特徴とする音声・ファックス通信切替方法。
【請求項２】
ＩＰネットワークに接続し、アナログ機器より送出されたアナログ信号を入力信号とし、入力されたアナログ信号をパケット化して、ネットワークに送信する音声・ファックス通信切替装置が行う音声・ファックス通信切替方法において、
音声・ファックス通信切替装置は呼設定が完了した時点で、ＦＡＸデータパケットの受信を可能な状態とし、
ＦＡＸの通信中において、
一方の音声・ファックス通信切替装置は、
音声データパケットの生成、送信、および受信を停止させておき、
入力されたアナログ信号から、呼切断を指示するＤＣＮ（切断命令）信号の検出を行うステップ（Ｓ９）と、
入力アナログ信号からＤＣＮ信号の検出された場合は、アナログ信号からＤＣＮ信号を示すＦＡＸデータパケットを生成するステップ（Ｓ１０）と、
ステップ（Ｓ１０）で生成したＤＣＮ信号を示すＦＡＸデータパケットを通信相手に送信するステップ（Ｓ１１）と、
ステップ（Ｓ１１）の後に、ＦＡＸデータの処理を停止させ、ＦＡＸデータパケットの送信を停止させるステップと、
音声データの処理を開始させるとともに音声データパケットの受信および送信を開始するステップとを行って、ファックス通信から音声通信に切り替え、
他方の音声・ファックス通信切替装置は、
音声データパケットの生成、送信、および受信を停止させておき、
ＤＣＮ（切断命令）信号を示すＦＡＸデータパケットの検出をおこなうステップ（Ｓ３０）と、
このステップ（Ｓ３０）でＤＣＮ信号を示すＦＡＸデータパケットが検出された場合は、ＤＣＮ信号を示すＦＡＸデータパケットからＤＣＮ信号を示すアナログＦＡＸ信号に変換するステップ（Ｓ３１）と、
このステップ（Ｓ３１）で変換されたＤＣＮ信号を示すアナログＦＡＸ信号をアナログ機器に送出するステップ（Ｓ３２）と、
ステップ（Ｓ３２）の後に、ＦＡＸデータの処理を停止させ、ＦＡＸデータパケットの送信を停止させ、ＦＡＸデータパケットの受信を可能な状態に維持するステップと、
音声データの処理を開始させるとともに音声データパケットの受信および送信を開始するステップとを行って、ファックス通信から音声通信に切り替える
ことを特徴とする音声・ファックス通信切替方法。
【請求項３】
ＩＰネットワークに接続し、アナログ機器より送出されたアナログ信号を入力信号とし、入力されたアナログ信号をパケット化して、ネットワークに送信する音声・ファックス通信切替装置において、
音声・ファックス通信切替装置は呼設定が完了した時点で、ＦＡＸデータパケットの受信を可能な状態とする手段を有し、
音声の通信中において、
一方の音声・ファックス通信切替装置は、
入力されたアナログ信号から、ＦＡＸ送信端末である事を示すＣＮＧ（発呼トーン）信号またはＦＡＸ受信端末であることを示すＣＥＤ（被呼局識別）信号の検出をおこなう手段１と、
前記手段１において、ＣＮＧ信号またはＣＥＤ信号が検出された場合には、音声データパケットの送信および受信の停止を指示する手段５と、
前記手段１において検出されたアナログ信号から、ＣＮＧ信号またはＣＥＤ信号を示すＦＡＸデータパケットを生成する手段７と、
手段７で生成したＣＮＧ信号またはＣＥＤ信号を示すＦＡＸデータパケットを通信相手に送信する手段８によって、音声通信からファックス通信に切り替え、
他方の音声・ファックス通信切替装置は、
ＣＮＧ（発呼トーン）信号またはＣＥＤ（被呼局識別）信号を示すＦＡＸデータパケット受信の有無を検出する手段２１と、
前記手段２１でＣＮＧ信号およびＣＥＤ信号を示すＦＡＸデータパケットが受信されなかった場合は、受信したＦＡＸデータパケットを破棄する手段と、
前記手段２１でＣＮＧ信号またはＣＥＤ信号のＦＡＸデータパケットが受信された場合は、音声データパケットの生成、送信、および受信の停止を指示する手段２６と、
受信したＣＮＧ信号またはＣＥＤ信号を示すＦＡＸデータパケットをアナログＦＡＸ信号に変換する手段２７と、
手段２７で変換したアナログＦＡＸ信号をアナログ機器に送信する手段２８によって、音声通信からファックス通信に切り替える
ことを特徴とする音声・ファックス通信切替装置。
【請求項４】
ＩＰネットワークに接続し、アナログ機器より送出されたアナログ信号を入力信号とし、入力されたアナログ信号をパケット化して、ネットワークに送信する音声・ファックス通信切替装置において、
音声・ファックス通信切替装置は呼設定が完了した時点で、ＦＡＸデータパケットの受信を可能な状態とする手段を有し、
ＦＡＸの通信中において、
一方の音声・ファックス通信切替装置は、
音声データパケットの生成、送信、および受信を停止させておき、
入力されたアナログ信号から、呼切断を指示するＤＣＮ（切断命令）信号の検出を行う手段９と、
入力アナログ信号からＤＣＮ信号が検出された場合は、アナログ信号からＤＣＮ信号を示すＦＡＸデータパケットを生成する手段１０と、
手段１０で生成したＤＣＮ信号を示すＦＡＸデータパケットを通信相手に送信する手段１１と、
手段１１の後に、ＦＡＸデータの処理を停止させ、ＦＡＸデータパケットの送信を停止させる手段と、
音声データの処理を開始させるとともに音声データパケットの受信および送信を開始する手段によって、ファックス通信から音声通信に切り替え、
他方の音声・ファックス通信切替装置は、
音声データパケットの生成、送信、および受信を停止させておき、
ＤＣＮ（切断命令）信号を示すＦＡＸデータパケットの検出をおこなう手段３０と、
この手段３０でＤＣＮ信号を示すＦＡＸデータパケットが検出された場合は、ＤＣＮ信号を示すＦＡＸデータパケットからＤＣＮ信号を示すアナログＦＡＸ信号に変換する手段３１と、
この手段３１で変換されたＤＣＮ信号を示すアナログＦＡＸ信号をアナログ機器に送出する手段３２と、
手段３２の後に、ＦＡＸデータの処理を停止させ、ＦＡＸデータパケットの送信を停止させ、ＦＡＸデータパケットの受信を可能な状態に維持する手段と、
音声データの処理を開始させるとともに音声データパケットの受信および送信を開始する手段によって、ファックス通信から音声通信に切り替える
ことを特徴とする音声・ファックス通信切替装置。
【請求項５】
請求項１又は２に記載の音声・ファックス通信切替方法をコンピュータで実現するためのプログラムを記録した、該コンピュータが読み取り可能な記録媒体。
【発明の詳細な説明】
【０００１】
【発明の属する技術分野】
本発明は、アナログ音声およびアナログＦＡＸ（ファクシミリ）信号をパケット化して、ＩＰネットワーク内でリアルタイムに送受信する通信に関し、特に音声通信からＦＡＸ通信への切替方法と、ＦＡＸ通信から音声通信への切替方法と、該方法を実現するための装置、およびその方法を記憶した記録媒体に関する。
【０００２】
【従来の技術】
リアルタイムにアナログＦＡＸ信号をパケット化し送受信する方法として、音声コーデックを使用する方法がある。これは、アナログのＦＡＸ信号を音声信号としてデジタル化し、音声コーデックに入力し、符号化されたデータをパケット化して送信する一方、受信したパケットから符号化データを取出し音声コーデックに入力し、復号化されたデジタルデータをアナログに変換してＦＡＸに送出する方法である。
【０００３】
この方法では、受信側のＦＡＸ装置において、復号化されたアナログ信号をＦＡＸ信号として認識できない場合があり、音声コーデックとして６４ｋｂｐｓ程度の符号化を使用しなければＦＡＸ通信できない。アナログ回線用ＦＡＸ装置の最高通信速度は、１４．４ｋｂｐｓであり、６４ｋｂｐｓで符号化するのは、大変効率が悪いという問題点があった。
【０００４】
また、国際標準ＩＴＵ−Ｔの勧告Ｔ．３８（ＩＰネットワーク上のリアルタイムＧ３ＦＡＸ通信手順）において、アナログＦＡＸ信号のパケット化について規定されており、ＦＡＸ信号のパケット化については、音声のパケット化方法と異なる手順を利用するのが、汎用装置として望ましく、さらに通信効率も良くなる。
【０００５】
しかし、ＦＡＸ信号特有のパケット化を実現した通信においては、ＦＡＸ信号のみをサポートしており、音声と切替えて使用する事ができないという問題点があった。
【０００６】
【発明が解決しようとする課題】
本発明は上記の事情に鑑みてなされたもので、ＦＡＸ信号に対しては音声信号と異なるパケット化を行うことを可能とし、更に、音声通信からＦＡＸ通信に切り替えることを可能とし、再びＦＡＸ通信から音声通信に切り替えることを可能にする、音声・ファックス通信切替方法および装置、その方法を記憶した記録媒体を提供することを目的とする。
【０００７】
【課題を解決するための手段】
上記目的を達成するために本発明は、
ＩＰネットワークに接続し、アナログ機器より送出されたアナログ信号を入力信号とし、入力されたアナログ信号をパケット化して、ネットワークに送信する音声・ファックス通信切替装置が行う音声・ファックス通信切替方法において、
音声・ファックス通信切替装置は呼設定が完了した時点で、ＦＡＸデータパケットの受信を可能な状態とし、
音声の通信中において、
一方の音声・ファックス通信切替装置は、
入力されたアナログ信号から、ＦＡＸ送信端末である事を示すＣＮＧ（発呼トーン）信号またはＦＡＸ受信端末であることを示すＣＥＤ（被呼局識別）信号の検出をおこなうステップ（Ｓ１）と、
前記ステップ（Ｓ１）において、ＣＮＧ信号またはＣＥＤ信号が検出された場合には、音声データパケットの送信および受信の停止を指示するステップ（Ｓ５）と、
前記ステップ（Ｓ１）において検出されたアナログ信号から、ＣＮＧ信号またはＣＥＤ信号を示すＦＡＸデータパケットを生成するステップ（Ｓ７）と、
ステップ（Ｓ７）で生成したＣＮＧ信号またはＣＥＤ信号を示すＦＡＸデータパケットを通信相手に送信するステップ（Ｓ８）を行って、音声通信からファックス通信に切り替え、
他方の音声・ファックス通信切替装置は、
ＣＮＧ（発呼トーン）信号またはＣＥＤ（被呼局識別）信号を示すＦＡＸデータパケット受信の有無を検出するステップ（Ｓ２１）と、
前記ステップ（Ｓ２１）でＣＮＧ信号およびＣＥＤ信号を示すＦＡＸデータパケットが受信されなかった場合は、受信したＦＡＸデータパケットを破棄し、
前記ステップ（Ｓ２１）でＣＮＧ信号またはＣＥＤ信号のＦＡＸデータパケットが受信された場合は、音声データパケットの生成、送信、および受信の停止を指示するステップ（Ｓ２６）と、
受信したＣＮＧ信号またはＣＥＤ信号を示すＦＡＸデータパケットをアナログＦＡＸ信号に変換するステップ（Ｓ２７）と、
ステップ（Ｓ２７）で変換したアナログＦＡＸ信号をアナログ機器に送出するステップ（Ｓ２８）とを行って、音声通信からファックス通信に切り替える
ことを特徴とする。
【０００８】
また本発明は、
ＩＰネットワークに接続し、アナログ機器より送出されたアナログ信号を入力信号とし、入力されたアナログ信号をパケット化して、ネットワークに送信する音声・ファックス通信切替装置が行う音声・ファックス通信切替方法において、
音声・ファックス通信切替装置は呼設定が完了した時点で、ＦＡＸデータパケットの受信を可能な状態とし、
ＦＡＸの通信中において、
一方の音声・ファックス通信切替装置は、
音声データパケットの生成、送信、および受信を停止させておき、
入力されたアナログ信号から、呼切断を指示するＤＣＮ（切断命令）信号の検出を行うステップ（Ｓ９）と、
入力アナログ信号からＤＣＮ信号の検出された場合は、アナログ信号からＤＣＮ信号を示すＦＡＸデータパケットを生成するステップ（Ｓ１０）と、
ステップ（Ｓ１０）で生成したＤＣＮ信号を示すＦＡＸデータパケットを通信相手に送信するステップ（Ｓ１１）と、
ステップ（Ｓ１１）の後に、ＦＡＸデータの処理を停止させ、ＦＡＸデータパケットの送信を停止させるステップと、
音声データの処理を開始させるとともに音声データパケットの受信および送信を開始するステップとを行って、ファックス通信から音声通信に切り替え、
他方の音声・ファックス通信切替装置は、
音声データパケットの生成、送信、および受信を停止させておき、
ＤＣＮ（切断命令）信号を示すＦＡＸデータパケットの検出をおこなうステップ（Ｓ３０）と、
このステップ（Ｓ３０）でＤＣＮ信号を示すＦＡＸデータパケットが検出された場合は、ＤＣＮ信号を示すＦＡＸデータパケットからＤＣＮ信号を示すアナログＦＡＸ信号に変換するステップ（Ｓ３１）と、
このステップ（Ｓ３１）で変換されたＤＣＮ信号を示すアナログＦＡＸ信号をアナログ機器に送出するステップ（Ｓ３２）と、
ステップ（Ｓ３２）の後に、ＦＡＸデータの処理を停止させ、ＦＡＸデータパケットの送信を停止させ、ＦＡＸデータパケットの受信を可能な状態に維持するステップと、
音声データの処理を開始させるとともに音声データパケットの受信および送信を開始するステップとを行って、ファックス通信から音声通信に切り替える
ことを特徴とする。
【００１１】
【発明の実施の形態】
以下図面を参照して本発明の実施形態例を詳細に説明する。
【００１２】
図１は、本発明の第１の実施形態例を示す。図１において、１は装置全体の制御を行う装置制御部、２はアナログ信号の入出力を制御するアナログインタフェース部、３は入力されたアナログ信号からＣＮＧ信号およびＣＥＤ信号を検出するＦＡＸ制御信号検出部、４はアナログ信号をデジタル化し、音声パケットを生成する音声データ処理部、５はアナログ信号をデジタル化し、ＦＡＸパケットを生成するとともにＤＣＮ信号の検出を行うＦＡＸデータ処理部、６は発呼、着呼に関する通信制御および音声、ＦＡＸといったデータ通信の制御を行うパケット通信制御部、７はＬＡＮインタフェース部である。アナログインタフェース部２には、電話機インタフェースや電話網インタフェースが適用でき、電話機インタフェースの場合は電話機やＦＡＸ装置との間で直接アナログ信号をやり取りし、アナログ電話網インタフェースの場合は電話網を介して他の電話機やＦＡＸ装置とアナログ信号の送受信を行うことができる。
【００１３】
（１）音声通信からＦＡＸ通信に切替える場合の説明をする。
【００１４】
図２、図３は、音声通信からＦＡＸ通信に切替える場合のシーケンス例で、図２は、ＣＮＧ信号が初めに検出された場合、図３は、ＣＥＤ信号が初めに検出された場合である。また、呼設定が完了した時点で音声通信を開始する場合を示した。
【００１５】
呼設定が完了した時点で、装置制御部１は、アナログインタフェース部２に対して、アナログ信号をＦＡＸ制御信号検出部３に送るよう指示し、ＦＡＸ制御信号検出部３に対して検出開始を指示し、音声データ処理部４に処理の開始を指示し、パケット通信制御部６に対して、音声データパケットの送信および受信の開始とＦＡＸデータパケットの受信開始を指示する。
【００１６】
アナログインタフェース部２に入力されたアナログ信号は、ＦＡＸ制御信号検出部３に送られ、ＦＡＸ制御信号検出部３では、アナログ信号からＣＮＧ信号とＣＥＤ信号の検出を行う。ＣＮＧ信号およびＣＥＤ信号が検出されなかった場合は、アナログ信号を音声データ処理部４に入力する。音声データ処理部４は、入力されたアナログ信号をデジタル化し、パケット化を行い、生成した音声パケットをパケット通信制御部６に入力する。音声データ処理部４では、データ圧縮のためデジタルデータを符号化する場合があり、その場合は符号化されたデータをパケット化する。パケット通信制御部６では、入力された音声データパケットに、ヘッダとして通信相手のＩＰアドレス、ポート番号を設定して、ＬＡＮインタフェース部７に入力する。ＬＡＮインタフェース部７は、入力された音声データパケットをＬＡＮに送出する。
【００１７】
また、ＦＡＸ制御信号検出部３において、ＣＮＧ信号あるいはＣＥＤ信号が検出された場合には、直ちにアナログ信号をＦＡＸデータ処理部５に入力し、ＦＡＸデータパケット送信開始を装置制御部１に通知する。ＦＡＸデータパケット送信開始を通知された装置制御部１は、アナログインタフェース部２に対してアナログ信号をＦＡＸデータ処理部５に入力するよう指示し、ＦＡＸデータ処理部５に対して処理の開始を指示し、音声データ処理部４に対して処理の停止を指示し、パケット通信制御部６に対して音声データパケットの送信および受信の停止を指示する。処理の開始を指示されたＦＡＸデータ処理部５は、入力されたアナログ信号をデジタル化し、パケット化した後パケット通信制御部６に入力する。音声データパケットの送信および受信の停止を指示されたパケット通信制御部６では、ＦＡＸパケットが入力された場合のみ、ヘッダとして通信相手のＩＰアドレス、ポート番号（ポート番号は、音声とＦＡＸで異なる値を設定するのが一般的である）を設定して、ＬＡＮインタフェース部７に入力する。ＬＡＮインタフェース部７は、入力されたＦＡＸデータパケットをＬＡＮに送出する。
【００１８】
一方、ＬＡＮインタフェース部７は、ＬＡＮ上を流れているパケットから、自装置宛てのパケットを取込み、パケット通信管理部６に入力する。パケット通信管理部６は、入力されたパケットが音声データパケットの場合は、音声データ処理部４に入力し、ＦＡＸデータパケットの場合はＦＡＸデータ処理部５に入力する。音声データ処理部４は、入力された音声パケットを分解し（符号化されたデータの場合は復号化し）アナログ信号に変換し、アナログインタフェース部２に入力する。ＦＡＸデータ処理部５は、入力されたＦＡＸデータパケットから、ＣＮＧ信号を示すパケットとＣＥＤ信号を示すパケットの検出を行い、ＣＮＧ信号を示すパケットおよびＣＥＤ信号を示すパケットが検出されなかった場合は、ＦＡＸデータパケットを廃棄する。ＣＮＧ信号を示すパケットあるいはＣＥＤ信号を示すパケットを検出した場合は、ＦＡＸデータパケットを分解し、アナログ変換して、アナログインタフェース部２に入力し、さらに、装置制御部１にＦＡＸデータパケット受信開始を通知する。アナログインタフェース部２は、入力されたアナログ信号をアナログ機器またはアナログ電話網に送出する。ＦＡＸデータパケット受信開始を通知された装置制御部１は、音声データ処理部４に対して処理の停止を指示し、パケット通信制御部６に対して音声データパケットの受信および送信の停止を指示する。音声データパケットの受信および送信の停止を指示されたパケット通信制御部６は、ＬＡＮインタフェース部７から入力されたＦＡＸデータパケットのみをＦＡＸデータ処理部５に送る。
【００１９】
この様にして、音声データ通信からＦＡＸデータ通信へ切替えが行われる。
【００２０】
（２）ＦＡＸ通信から音声通信へ切替える場合を説明する。
【００２１】
図４は、ＦＡＸ通信から音声通信へ切替える場合のシーケンス例である。
【００２２】
ＦＡＸデータ処理部５において、入力されたアナログ信号をデジタル化し、パケット化した後、生成したパケットをパケット通信制御部６に入力するとともに、呼切断を指示するＤＣＮ（切断命令）信号の検出を行い、ＤＣＮ信号が検出された場合は、ＦＡＸ通信の終了を装置制御部１に通知する。ＦＡＸ通信の終了を通知された装置制御部１は、アナログインタフェース部２に対して、アナログ信号をＦＡＸ制御信号検出部３に入力するよう指示し、音声データ処理部４に対して処理の開始を指示し、ＦＡＸデータ処理部５に対して処理の停止を指示し、パケット通信制御部６に対してＦＡＸデータパケットの送信停止、音声データパケットの受信および送信の開始を指示する。
【００２３】
一方、ＦＡＸデータ処理部５において、パケット通信制御部６から入力されたＦＡＸデータパケットを分解し、アナログ信号に変換してアナログインタフェース部２に入力するとともに、ＤＣＮ信号の検出を行い、ＤＣＮ信号が検出された場合には、装置制御部１にＦＡＸ通信の終了を通知する。ＦＡＸ通信の終了を通知された装置制御部１は、アナログインタフェース部２に対して、アナログ信号をＦＡＸ制御信号検出部３に入力するよう指示し、音声データ処理部４に対して処理の開始を指示し、ＦＡＸデータ処理部５に対して処理の停止を指示し、パケット通信制御部６に対してＦＡＸデータパケットの送信停止、音声データパケットの受信および送信の開始を指示する。
【００２４】
この様にして、ＦＡＸ通信から音声通信へ切替えが行われる。
【００２５】
また、ＦＡＸ通信から音声通信に切替わった後は、呼設定完了後と同じ状態になるので、再度音声通信からＦＡＸ通信への切替え、およびＦＡＸ通信から音声通信への切替えが可能である。
【００２６】
前記音声・ファックス通信切替方法は、具体的にはパーソナルコンピュータ（ＰＣ）等のコンピュータにより、予め所定の記録媒体に記録されたプログラムに基づいて実行される。
【００２７】
図５は本発明の実施形態例に係るパケット送信処理の例１を示すフローチャートである。
【００２８】
すなわち、ＩＰネットワークに接続し、アナログ機器より送出されたアナログ信号を入力信号とし、入力されたアナログ信号をパケット化して、ネットワークに送信する音声・ファックス通信切替方法において、入力されたアナログ信号から、ＦＡＸ送信端末である事を示すＣＮＧ（発呼トーン）信号またはＦＡＸ受信端末であることを示すＣＥＤ（被呼局識別）信号の検出をおこなうステップ（Ｓ１）と、ＣＮＧ信号またはＣＥＤ信号が検出されない場合はアナログ信号から音声データパケットが生成可能かを検出するステップ（Ｓ２）と、アナログ信号から音声データパケットが生成可能な場合は、アナログ信号から音声データパケットを生成するステップ（Ｓ３）と、このステップ（Ｓ３）で生成した音声データパケットをネットワーク上の通信相手に送信するステップ（Ｓ４）と、前記ステップ（Ｓ１）において、ＣＮＧ信号またはＣＥＤ信号が検出された場合には、音声データパケット受信停止を指示するステップ（Ｓ５）と、ＦＡＸエラーを検知するステップ（Ｓ６）と、ＦＡＸエラーを検知しない場合は、ＦＡＸデータパケットを生成するステップ（Ｓ７）と、ステップ（Ｓ７）で生成したＦＡＸデータパケットを通信相手に送信するステップ（Ｓ８）とを有する。
【００２９】
図６は本発明の実施形態例に係るパケット送信処理の例２を示すフローチャートである。図６中、図５と同一部分は同一符号を付してその説明を省略する。
【００３０】
ネットワーク上でＦＡＸデータパケットを送信している場合において、入力されたアナログ信号から、呼切断を指示するＤＣＮ（切断命令）信号の検出を行うステップ（Ｓ９）と、入力アナログ信号からＤＣＮ信号の検出されない場合は、前記ＦＡＸエラーを検知するステップ（Ｓ６）に戻る。入力アナログ信号からＤＣＮ信号の検出された場合は、アナログ信号からＤＣＮ信号を示すＦＡＸデータパケットを生成するステップ（Ｓ１０）と、このステップ（Ｓ１０）で生成したＤＣＮ信号を示すＦＡＸデータパケットをネットワーク上の通信相手に送信するステップ（Ｓ１１）と、ネットワーク上の通信相手にＤＣＮ信号を示すＦＡＸデータパケットを送信した後、または前記ステップ（Ｓ６）でＦＡＸエラーを検知した場合は、音声データパケットの受信開始を指示するステップ（Ｓ１２）と、前記ステップ（Ｓ２）で音声データパケットが生成可能でない場合、前記ステップ（Ｓ４）で音声データパケットを送信した場合、または前記ステップ（Ｓ１２）で音声データパケット受信開始を指示した場合は、オンフック状態を検出するステップ（Ｓ１３）と、ステップ（Ｓ１３）でオンフック状態でない場合は前記ステップ（Ｓ１）へ戻り、ステップ（Ｓ１３）でオンフック状態の場合は呼切断するステップ（Ｓ１４）とを有する。
【００３１】
図７は本発明の実施形態例に係るパケット受信処理の例１を示すフローチャートである。
【００３２】
すなわち、ネットワークから受信したパケットをアナログ信号に変換してアナログ機器に送出する音声・ファックス通信切替方法において、ＣＮＧ信号またはＣＥＤ信号のＦＡＸデータパケット受信の有無を検出するステップ（Ｓ２１）と、ＣＮＧ信号またはＣＥＤ信号のＦＡＸデータパケットが受信されない場合は、音声データパケット受信可能か否かを検出するステップ（Ｓ２２）と、このステップ（Ｓ２２）で音声データパケットが受信可能である場合は、ネットワークから音声データパケットを受信するステップ（Ｓ２３）と、ネットワークから音声データパケットを受信した場合は、音声データパケットからアナログ音声信号に変換するステップ（Ｓ２４）と、ステップ（Ｓ２４）で変換したアナログ音声信号をアナログ機器に送出するステップ（Ｓ２５）と、前記ステップ（Ｓ２１）でＣＮＧ信号またはＣＥＤ信号のＦＡＸデータパケットが受信された場合は、音声データパケットの生成、送信の停止を指示するステップ（Ｓ２６）と、ネットワークから受信したＦＡＸデータパケットからアナログＦＡＸ信号に変換するステップ（Ｓ２７）と、ステップ（Ｓ２７）で変換したアナログＦＡＸ信号をアナログ機器に送信するステップ（Ｓ２８）とを有する。
【００３３】
図８は本発明の実施形態例に係るパケット受信処理の例２を示すフローチャートである。図８中、図７と同一部分は同一符号を付してその説明を省略する。
【００３４】
ネットワークから受信したＦＡＸデータパケットをアナログＦＡＸ信号に変換してアナログ機器に送信している場合において、
ネットワークからＦＡＸデータパケット受信の有無を検出するステップ（Ｓ２９）と、このステップ（Ｓ２９）でＦＡＸデータパケットを受信した場合は、ＤＣＮ信号の検出をおこなうステップ（Ｓ３０）と、このステップ（Ｓ３０）でＤＣＮ信号が検出されない場合は、前記ステップ（Ｓ２７）に戻り、ＤＣＮ信号が検出された場合は、ＤＣＮ信号を示すＦＡＸデータパケットからＤＣＮ信号を示すアナログＦＡＸ信号に変換するステップ（Ｓ３１）と、このステップ（Ｓ３１）で変換されたＤＣＮ信号を示すアナログＦＡＸ信号をアナログ機器に送出するステップ（Ｓ３２）と、このステップ（Ｓ３２）でＤＣＮ信号を示すアナログＦＡＸ信号をアナログ機器に送出した後、音声データパケットの生成開始、および通信相手に音声データパケットの送信開始を指示するステップ（Ｓ３３）と、前記ステップ（Ｓ２２）で音声データパケットが受信可能でない場合、前記ステップ（Ｓ２５）でアナログ音声信号をアナログ機器に送出する場合、前記ステップ（Ｓ２９）でネットワークからＦＡＸデータパケットを受信した場合、または前記ステップ（Ｓ３３）で通信相手に音声データパケットの生成送信開始を指示した場合は、オンフック状態の有無を検出するステップ（Ｓ３４）と、オンフック状態でない場合は、呼切断の有無を検出するステップ（Ｓ３５）と、呼切断でない場合は、前記ステップ（Ｓ２１）に戻る。前記ステップ（Ｓ３４）でオンフック状態の場合、または前記ステップ（Ｓ３５）で呼切断の場合は、終了する。
【００３５】
【発明の効果】
以上説明したように、本発明によれば、ＦＡＸ信号に対しては音声信号と異なるパケット化を行うことを可能とし、更に、音声通信からＦＡＸ通信に切り替えることを可能とし、再びＦＡＸ通信から音声通信に切り替えることが可能になる。
【図面の簡単な説明】
【図１】本発明における第１の実施形態例を示す構成ブロック図である。
【図２】本発明における音声通信からＦＡＸ通信への切替えシーケンスの例１を示す説明図である。
【図３】本発明における音声通信からＦＡＸ通信への切替えシーケンスの例２を示す説明図である。
【図４】本発明におけるＦＡＸ通信から音声通信への切替えシーケンスの一例を示す説明図である。
【図５】本発明の実施形態例に係るパケット送信処理の例１を示すフローチャートである。
【図６】本発明の実施形態例に係るパケット送信処理の例２を示すフローチャートである。
【図７】本発明の実施形態例に係るパケット受信処理の例１を示すフローチャートである。
【図８】本発明の実施形態例に係るパケット受信処理の例２を示すフローチャートである。
【符号の説明】
１    装置制御部
２    アナログインタフェース部
３    ＦＡＸ制御信号検出部
４    音声データ処理部
５    ＦＡＸデータ処理部
６    パケット通信制御部
７    ＬＡＮインタフェース部
【図１】
0003811314.tif 000002
【図２】
0003811314.tif 000003
【図３】
0003811314.tif 000004
【図４】
0003811314.tif 000005
【図５】
0003811314.tif 000006
【図６】
0003811314.tif 000007
【図７】
0003811314.tif 000008
【図８】
0003811314.tif 000009